(57)【要約】      （修正有）【課題】お点前に必要な各構成部材を、着座した状態で使用することができるように構成した、斬新なアイデアと実用的なデザインでなる茶道点前用座礼棚組合せ体を提供することにある。【解決手段】着座状態で点前をするに適した天板面を有する中央座礼棚部材１と、前記中央座礼棚部材の一方の側端縁に連接手段７を介して着脱自在に連接される第１の側部座礼棚部材２と、前記中央座礼棚部材の他方の側端縁４ｂに連接手段７を介して着脱自在に連接される第２の側部座礼棚部材３とからなることを特徴とする茶道点前用座礼棚組合せ体。【選択図】図１
0003133619.tif 000002
【実用新案登録請求の範囲】
【請求項１】
着座状態で点前をするに適した天板面を有する中央座礼棚部材と、前記中央座礼棚部材の一方の側端縁に連接手段を介して着脱自在に連接される第１の側部座礼棚部材と、前記中央座礼棚部材の他方の側端縁に連接手段を介して着脱自在に連接される第２の側部座礼棚部材とからなることを特徴とする茶道点前用座礼棚組合せ体。
【請求項２】
前記中央座礼棚部材が、点茶のための主座礼棚を構成し、前記第１の側部座礼棚部材が、炉部を備えた釜側用座礼棚を構成し、前記第２の側部座礼棚部材が、水差しなどを載置する水屋側用座礼棚を構成するものであることを特徴とする請求項１に記載の茶道点前用座礼棚組合せ体。
【請求項３】
前記中央座礼棚部材が、概して平面視扇台形形状の天板と、前記天板の裏面に設けた折り畳み式脚体とを含むものからなり、前記第１の側部座礼棚部材が、炉受入開口を備えた天板と、前記天板の裏面に設けた左右側壁および背壁とにより構成される脚体とを含むものからなり、前記第２の側部座礼棚部材が、頂面に若干の段差面部をもつ天板と、前記天板の裏面に設けた左右側壁および背壁とにより構成される脚体と、前記左右側壁の内側に設けた少なくとも一つの支持手段によって出し入れ自在に支持される少なくとも一つの棚板とを含むものからなることを特徴とする請求項１あるいは請求項２に記載の茶道点前用座礼棚組合せ体。
【請求項４】
前記中央座礼棚部材の高さ寸法ｔ１が、前記第１および第２の側部座礼棚部材の高さ寸法ｔ２より若干低い寸法により構成されているものからなることを特徴とする請求項１〜請求項３のいずれかに記載の茶道点前用座礼棚組合せ体。
【請求項５】
前記連接手段が、前記中央座礼棚部材における天板の両側端縁に設けた凹状切欠と、前記第１および第２の側部座礼棚部材における側壁外面に設けた凸条とからなることを特徴とする請求項１〜請求項４のいずれかに記載の茶道点前用座礼棚組合せ体。
【考案の詳細な説明】
【技術分野】
【０００１】
この考案は、茶道におけるお点前を着座した状態で行うための茶道点前用座礼棚に関するものであり、特に、お点前に必要な各構成部材をそれぞれ個別にデザインし、これらを組み合わせることによって簡易的速やかに茶道点前用座礼棚を供し、不使用時には、極めて簡単な操作でコンパクト化し、収納保管の便を図った斬新なアイデアと実用的なデザインでなる茶道点前用座礼棚組合せ体に関するものである。
【背景技術】
【０００２】
周知のように、従来伝統的な茶道は、炉が切られた畳の間において正座して行われるものである。このような伝統的な茶会に対して、より簡易的に、且つ、気軽に茶会を楽しむ目的において、テーブル並びに椅子などを用いた立礼式の茶席が設けられることがあり、そのためのお点前用具として、所謂、立礼棚という製品が開発され提供されてきている。
【０００３】
従来の茶道点前用立礼棚は、例えば、特開平５−３３７０１１号公開公報および特開平７−３９４２５号公開公報に記載のある茶道用テーブルのように、一つの折り畳み式のテーブルによって構成されているもの、あるいは、特開平９−２８９９２５号公開公報に記載のある点茶装置のもののように、釜側棚部と水屋側棚部との間にテーブル板を組み合わせ、釜側棚部と水屋側棚部とを天秤棒により連結したもの、さらには、特開２０００−３２５１５２号公開公報に記載のある立礼卓のもののように、テーブルが拡張されるようなものとして提供されてきている。上記する従来の茶道点前用立礼棚は、各公報に記載のもののように、従来の伝統的な形態を踏襲しながら、簡易的な変更を加えた程度のものにすぎず、室内の新しい空間設計に対して十分に対応するものではなく、変化性あるいは興趣性の面においても従来の伝統的な範囲を越えるものではなかった。
【考案の開示】
【考案が解決しようとする課題】
【０００４】
そこで、この考案では、伝統的な茶道の情緒並びに楽しみ方を保つべく、お点前に必要な各構成部材を、着座した状態で使用することができるように構成し、且つ、この各構成部材を、それぞれ個別にデザインして準備しておき、これらを組み合わせることによって簡易的速やかに茶道点前用座礼棚を供し、不使用時には、極めて簡単な操作でコンパクト化し、収納保管の便を図った斬新なアイデアと実用的なデザインでなる茶道点前用座礼棚組合せ体を提供するものである。
【課題を解決するための手段】
【０００５】
この考案は、上記する目的を達成するにあたって、具体的には、着座状態で点前をするに適した天板面を有する中央座礼棚部材と、前記中央座礼棚部材の一方の側端縁に連接手段を介して着脱自在に連接される第１の側部座礼棚部材と、前記中央座礼棚部材の他方の側端縁に連接手段を介して着脱自在に連接される第２の側部座礼棚部材とからなることを特徴とする茶道点前用座礼棚組合せ体を構成するものである。
【０００６】
さらに、この考案において請求項２に記載の考案は、請求項１に記載の茶道点前用座礼棚組合せ体であって、前記中央座礼棚部材が、点茶のための主座礼棚を構成し、前記第１の側部座礼棚部材が、炉部を備えた釜側用座礼棚を構成し、前記第２の側部座礼棚部材が、水差しなどを載置する水屋側用座礼棚を構成するものであることを特徴とするものである。
【０００７】
さらに、この考案において請求項３に記載の考案は、請求項１あるいは請求項２に記載の茶道点前用座礼棚組合せ体であって、前記中央座礼棚部材が、概して平面視扇台形形状の天板と、前記天板の裏面に設けた折り畳み式脚体とを含むものからなり、前記第１の側部座礼棚部材が、炉受入開口を備えた天板と、前記天板の裏面に設けた左右側壁および背壁とにより構成される脚体とを含むものからなり、前記第２の側部座礼棚部材が、頂面に若干の段差面部をもつ天板と、前記天板の裏面に設けた左右側壁および背壁とにより構成される脚体と、前記左右側壁の内側に設けた少なくとも一つの支持手段によって出し入れ自在に支持される少なくとも一つの棚板とを含むものからなることを特徴とするものである。
【０００８】
さらに、この考案において請求項４に記載の考案は、請求項１〜請求項３のいずれかに記載の茶道点前用座礼棚組合せ体であって、前記中央座礼棚部材の高さ寸法ｔ１が、前記第１および第２の側部座礼棚部材の高さ寸法ｔ２より若干低い寸法により構成されているものからなることを特徴とするものである。
【０００９】
さらにまた、この考案において請求項５に記載の考案は、請求項１〜請求項４のいずれかに記載の茶道点前用座礼棚組合せ体であって、前記連接手段が、前記中央座礼棚部材における天板の両側端縁に設けた凹状切欠と、前記第１および第２の側部座礼棚部材における側壁外面に設けた凸条とからなることを特徴とするものである。
【考案の効果】
【００１０】
この考案になる茶道点前用立礼棚組合せ体によれば、まず第１には、極めて簡潔な構造の構成部材の組み合わせにより構成されるものであって、多量生産に適合し、経済的にも極めて有利に作用するものであり、第２には、各構成部材が斬新なデザインによって構成されるものであり、茶道の情緒を保ちつつ、何処ででも手軽に茶の湯を楽しむことができるように構成してあり、お点前に必要な各構成部材をそれぞれ個別にデザインし、分離並びに折り畳み式に構成してある点において、普段はコンパクトな棚として利用することができるとともに、茶の湯を楽しむときには、直ちに座礼棚に早変わりし、何処ででも座礼茶席をセットすることができるものであり、その点においても極めて有効に作用するものといえる。
【考案を実施するための最良の形態】
【００１１】
以下、この考案になる茶道点前用座礼棚組合せ体について、図面に示す具体的な実施例に基づいて詳細に説明する。図１は、この考案になる茶道点前用座礼棚組合せ体の一実施例を示すものであって、図１Ａは、各構成部材を連接手段を介して連接して、茶席のために配列した使用状態を示す概略的な斜視図であり、図１Ｂは、図１Ａに示す状態の概略的な平面図である。
【００１２】
一方、図２〜図４は、各構成部材の具体的な例を個別に示すものであり、図２は、第１の側部座礼棚部材の具体的な例を示すものであって、図２Ａは、炉部材を上方に取り出した状態を示す概略的な斜視図、図２Ｂは、図２Ａにおける２Ｂ−２Ｂ線に沿って右半部を断面で示す概略的な半部断面図、図２Ｃは、図２Ａにおける矢印２Ｃから見た概略的な側面図である。図３は、第２の側部座礼棚部材の具体的な例を示すものであって、図３Ａは、棚板部材を手前に引き出した状態を示す概略的な斜視図、図３Ｂは、図３Ａにおける３Ｂ−３Ｂ線に沿って右半部を断面で示す概略的な半部断面図、図３Ｃは、図３Ａにおける矢印３Ｃから見た概略的な側面図である。図４は、中央座礼棚部材の具体的な例を示すものであって、図４Ａは、当該中央座礼棚部材の使用状態を示す概略的な斜視図、図４Ｂは、これを裏面側から見た概略的な斜視図、図４Ｃは、折り畳み式脚体を折り畳んだ状態を示す概略的な斜視図である。
【００１３】
まず、この考案になる茶道点前用座礼棚組合せ体ＴＡは、例えば、図１各図に示すような形態のものとして形成される。図１Ａおよび図１Ｂに示す茶道点前用座礼棚組合せ体ＴＡは、着座状態で点前をするに適した天板面を有する点茶のための主立礼棚としての中央座礼棚部材１と、炉部を備えた釜側用立礼棚としての第１の側部座礼棚部材２と、水差し等を載置する水屋側用立礼棚としての第２の側部座礼棚部材３との組み合わせによって構成されている。
【００１４】
この考案において、前記中央座礼棚部材１は、概して平面視扇台形形状の天板４と、前記天板４の裏面Ｓ２に設けた折り畳み式脚体５とを含むものからなっている。前記中央座礼棚部材１における天板４は、凹曲線による前縁４ｃ、この前縁より長い凸曲線による後縁４ｄ、その両端を直線状に結ぶ左側縁４ａおよび右側縁４ｂとによって平面視扇台形形状をなすものからなっている。この平面視形状は、上記実施例に限定されるものではなく、平面視逆台形形状のものであってもよい。
【００１５】
前記中央座礼棚部材１における天板４は、着座状態で点前をするに適した天板面Ｓ１を形成するものであり、当該天板面Ｓ１の後縁４ｄ側には、立板部材６が取り付けられている。前記中央座礼棚部材１における天板４の左側縁４ａおよび右側縁４ｂには、当該中央座礼棚部材１に前記第１の側部座礼棚部材２および第２の側部座礼棚部材３を着脱自在に連接するための連接手段７としての凹状切欠８Ａ、８Ｂが設けてある。
【００１６】
一方、前記中央座礼棚部材１における折り畳み式脚体５は、例えば、図４各図に示すもののように、前記天板４の裏面Ｓ２における前縁４ｃ側にヒンジ金具９によって起伏自在に取り付けられた前縁側脚板１０と、前記天板４の裏面Ｓ２における前縁４ｃ側にヒンジ金具９によって起伏自在に取り付けられた後縁側脚板１１と、前記前縁側脚板１０および後縁側脚板１１を起立状態に維持する起立維持板１２とを含むものからなっている。
【００１７】
この折り畳み式脚体５は、図４Ｂに示す状態から折り畳む際、まず、起立維持板１２を矢印Ｙ１の方向に倒す。この場合、前記天板４の裏面Ｓ２には、倒れ込んだ起立維持板１２を全体的に受け入れる凹部が設けられていて、倒れ込んだ起立維持板１２を受け入れて、天板４の裏面Ｓ２が平滑化するようになっている。しかる後、前記前縁側脚板１０および後縁側脚板１１をそれぞれ矢印Ｙ２の方向に倒し込むことにより当該中央座礼棚部材１を扁平化することができるようになっている。
【００１８】
次いで、前記第１の側部座礼棚部材２は、炉受入開口１４を備えた天板１３と、前記天板１３の裏面１３ｂに設けた左側壁１６と、右側壁１７および背壁１８とにより構成される脚体１５とを含むものからなっている。前記炉受入開口１４は、段差面１４ａを有しており、炉部材１９のフランジ１９ａが係合するようになっている。この場合、炉受入開口１４における段差面１４ａと炉部材１９のフランジ１９ａ下面との間に断熱性材からなるチップ片を介在してもよい。
【００１９】
前記第１の側部座礼棚部材２における左側壁１５および右側壁１６の外面には、前記連接手段７としての凸条２０が設けてある。この第１の側部座礼棚部材２は、前記中央座礼棚部材１の一方の側端縁４ａに設けてある連接手段７としての凹状切欠８Ａに、凸条２０を嵌め合わすことにより中央座礼棚部材１に連接されるようになっている。
【００２０】
さらに、前記第２の側部座礼棚部材３は、頂面２１ａに若干の段差面部２２をもつ天板２１と、前記天板２１の裏面２１ｂに設けた左側壁２４と、右側壁２５および背壁２６とにより構成される脚体２３と、前記左側壁２４および右側壁２５の内側に設けた少なくとも一つの棚板支持手段２７によって出し入れ自在に支持される少なくとも一つの棚板２８を含むものからなっている。
【００２１】
前記第２の側部座礼棚部材３における左側壁２４および右側壁２５の外面には、前記連接手段７としての凸条２９が設けてある。この第２の側部座礼棚部材３は、前記中央座礼棚部材１の一方の側端縁４ｂに設けてある連接手段７としての凹状切欠８Ｂに、凸条２９を嵌め合わすことにより中央座礼棚部材１に連接されるようになっている。
【００２２】
前記中央座礼棚部材１の高さ寸法ｔ１（床面から天板面Ｓ１までの高さ寸法）は、床面に着座した状態でお点前をするに適した高さ寸法によるものであり、例えば、約１０ｃｍ〜２０ｃｍ程度、好ましくは、約１２ｃｍのものである。これに対して、前記第１の側部座礼棚部材２および第２の側部座礼棚部材３の高さ寸法ｔ２は、前記中央座礼棚部材１の高さ寸法ｔ１より約５ｃｍ〜１０ｃｍ程度高い寸法により構成されており、前記第１の側部座礼棚部材２および第２の側部座礼棚部材３の高さ寸法ｔ２は、好ましくは、約１８ｃｍ程度のものである。
【００２３】
この考案になる茶道点前用座礼棚組合せ体ＴＡを使用する人は、例えば、図１Ａに示すような正座用あるいはあぐら用の適宜クッション性のある敷物３１などを用いて着座席部所ＳＰに着座して、お点前を行う。参照符号３２は、着座して用いるに適した高さ寸法に設計された客用の茶台である。
【００２４】
さらに、この考案になる茶道点前用座礼棚組合せ体ＴＡにおける各構成部材である、中央座礼棚部材１、第１の側部座礼棚部材２および第２の側部座礼棚部材３は、各種の天然木材、合成木材、透明なアクリル樹脂板、合成樹脂板、さらには、軽量な金属板などの素材によって構成されるものであり、それらのいずれであってもよい。
【００２５】
この考案になる茶道点前用座礼棚組合せ体ＴＡは、お点前を楽しんだ後、次のようにコンパクト化して収納保管される。中央座礼棚部材１については、図４Ｃに示すように、折り畳んだ状態に変形しておき、第１の側部座礼棚部材２については、図２Ａに示すように、炉部材を取り出した状態にしておき、第２の側部座礼棚部材３については、棚板部材を引き出した状態にしておく。第１の側部座礼棚部材２および第２の側部座礼棚部材３は、前面開口側を合わせ、底面側を向かい合わせ状にして、互いに差し込むようにし、これに折り畳んだ中央座礼棚部材１を重ね合わせてコンパクト化する。
【産業上の利用可能性】
【００２６】
この考案になる茶道点前用座礼棚組合せ体ＴＡは、各構成部材１、２、３を連接手段によって連接して組み立てることにより、簡易的に且つ即座に茶道点前用座礼棚として構成することができる点はもとより、簡単な分解操作により即座にコンパクト化することができ、収納保管の便を図るものであり、これらのことから、伝統的な茶道点前の茶席を容易に設定するものとして有効に作用する。
【図面の簡単な説明】
【００２７】
【図１】図１は、この考案になる茶道点前用座礼棚組合せ体の一実施例を示すものであって、図１Ａは、各構成部材を連接手段を介して連接して、茶席のために配列した使用状態を示す概略的な斜視図であり、図１Ｂは、図１Ａに示す状態の概略的な平面図である。
【図２】図２〜図４は、各構成部材の具体的な例を個別に示すものであり、図２は、第１の側部座礼棚部材の具体的な例を示すものであって、図２Ａは、炉部材を上方に取り出した状態を示す概略的な斜視図、図２Ｂは、図２Ａにおける２Ｂ−２Ｂ線に沿って右半部を断面で示す概略的な半部断面図、図２Ｃは、図２Ａにおける矢印２Ｃから見た概略的な側面図である。
【図３】図３は、第２の側部座礼棚部材の具体的な例を示すものであって、図３Ａは、棚板部材を手前に引き出した状態を示す概略的な斜視図、図３Ｂは、図３Ａにおける３Ｂ−３Ｂ線に沿って右半部を断面で示す概略的な半部断面図、図３Ｃは、図３Ａにおける矢印３Ｃから見た概略的な側面図である。
【図４】図４は、中央座礼棚部材の具体的な例を示すものであって、図４Ａは、当該中央座礼棚部材の使用状態を示す概略的な斜視図、図４Ｂは、これを裏面側から見た概略的な斜視図、図４Ｃは、折り畳み式脚体を折り畳んだ状態を示す概略的な斜視図である。
【符号の説明】
【００２８】
ＴＡ  茶道点前用座礼棚組合せ体
１  中央座礼棚部材
２  第１の側部座礼棚部材
３  第２の側部座礼棚部材
４  中央座礼棚部材の天板
４ａ  左側縁
４ｂ  右側縁
４ｃ  前縁
４ｄ  後縁
５  折り畳み式脚体
６  立板部材
７  連接手段
８Ａ、８Ｂ  凹状切欠
９  ヒンジ金具
１０  前縁側脚板
１１  後縁側脚板
１２  起立維持板
１３  第１の側部座礼棚部材の天板
１４  炉受入開口
１５  第１の側部座礼棚部材の脚体
１６  左側壁
１７  右側壁
１８  背壁
１９  炉部材
２０  凸条
２１  第２の側部座礼棚部材の天板
２２  段差面部
２３  第２の側部座礼棚部材の脚体
２４  左側壁
２５  右側壁
２６  背壁
２７  棚板支持手段
２８  棚板
３１  敷物
３２  客用の茶台
【図１】
0003133619.tif 000003
【図２】
0003133619.tif 000004
【図３】
0003133619.tif 000005
【図４】
0003133619.tif 000006